(57)【要約】【課題】  本発明は釣竿ケースに関し、収容した釣竿の移動を防止して、釣竿が互いに傷付け合う虞のない釣竿ケースを提供することを目的とする。【解決手段】  請求項１に係る釣竿ケースは、釣竿を収容するケース本体内に、釣竿に巻回して釣竿を保持する保持部材と、この保持部材の内側に沿って配され、保持部材の巻回により釣竿に圧接する柔軟な合成樹脂またはゴムからなる滑り止めを設けたことを特徴とする。そして、請求項２に係る発明は、請求項１に記載の釣竿ケースに於て、前記滑り止めは、保持部材から内方へ突出して設けられていることを特徴とし、請求項３に係る発明は、請求項１または請求項２に記載の釣竿ケースに於て、前記保持部材は、その中央側にケース本体への取付部を有し、少なくともこの取付部の両側に前記滑り止めが配されていることを特徴とする。【選択図】    図１
2008131892.tif 000002
【特許請求の範囲】
【請求項１】
釣竿を収容するケース本体内に、釣竿に巻回して釣竿を保持する保持部材と、この保持部材の内側に沿って配され、保持部材の巻回により釣竿に圧接する柔軟な合成樹脂またはゴムからなる滑り止めを設けたことを特徴とする釣竿ケース。
【請求項２】
前記滑り止めは、保持部材から内方へ突出して設けられていることを特徴とする請求項１に記載の釣竿ケース。
【請求項３】
前記保持部材は、その中央側にケース本体への取付部を有し、少なくともこの取付部の両側に前記滑り止めが配されていることを特徴とする請求項１または請求項２に記載の釣竿ケース。
【発明の詳細な説明】
【技術分野】
【０００１】
本発明は、釣竿を収容して釣場へ携行する釣竿ケースに関する。
【背景技術】
【０００２】
従来、釣人は、壊れ傷付き易い釣竿を釣竿ケースに収容して釣場に携行している。
そして、複数本の竿体を並継形式にして用いる並継竿を収容する場合は、釣竿を各竿体に分解してこれらを釣竿ケースに収容して持ち運んでいる。
しかし、このように複数本の竿体をまとめて釣竿ケースに収容すると、竿体同士が接触して互いに傷付け合う虞があった。
【０００３】
そこで、斯かる不具合を解決するため、特許文献１には、複数のひだを有するアコーデオンプリーツとこのアコーデオンプリーツを締結する紐部材をケース本体内に装着し、アコーデオンプリーツのひだの間に竿体を収納して、これを紐部材で結んで竿体を固定する釣竿ケースが提案されている。
而して、この釣竿ケースによれば、アコーデオンプリーツが竿体同士の接触を抑え、紐部材が竿体を固定して竿体をケース本体内に収容，固定できることとなった。
【特許文献１】特開２０００−２７９０８１号公報
【発明の開示】
【発明が解決しようとする課題】
【０００４】
しかし乍ら、特許文献１に開示された釣竿ケースは、ひだによる竿体への接触が甘く、このため、紐部材を結んでも竿体の固定が十分でなく、竿体が長手方向や周方向に動いてしまっていた。
そして、特にリールを竿体に取り付けたままケース本体内に収容した場合、竿体の長手方向や周方向への移動によって、リールが他の竿体を傷つけてしまう虞があった。
【０００５】
本発明は斯かる実情に鑑み案出されたもので、収容した釣竿（竿体）の移動を防止して、釣竿が互いに傷付け合う虞のない釣竿ケースを提供することを目的とする。
【課題を解決するための手段】
【０００６】
斯かる目的を達成するため、請求項１に係る釣竿ケースは、釣竿を収容するケース本体内に、釣竿に巻回して釣竿を保持する保持部材と、この保持部材の内側に沿って配され、保持部材の巻回により釣竿に圧接する柔軟な合成樹脂またはゴムからなる滑り止めを設けたことを特徴とする。
そして、請求項２に係る発明は、請求項１に記載の釣竿ケースに於て、前記滑り止めは、保持部材から内方へ突出して設けられていることを特徴とし、請求項３に係る発明は、請求項１または請求項２に記載の釣竿ケースに於て、前記保持部材は、その中央側にケース本体への取付部を有し、少なくともこの取付部の両側に前記滑り止めが配されていることを特徴とする。
【発明の効果】
【０００７】
各請求項に係る発明によれば、保持部材を巻回させて釣竿をこの保持部材で保持すると、保持部材の内側に配された滑り止めが釣竿に圧接して釣竿の長手方向や周方向への移動を規制するため、ケース本体内に収容された釣竿が互いに接触することがなく、この結果、釣竿が互いに傷付け合うことがなくなる利点を有する。
そして、請求項２に係る発明によれば、滑り止めが内方へ突出するため、滑り止めがより強固に釣竿に圧接してその移動を規制する。
【０００８】
従って、本発明によれば、より確実に釣竿の長手方向や周方向への移動を防止することが可能となる。
【発明を実施するための最良の形態】
【０００９】
以下、本発明の実施形態を図面に基づいて詳細に説明する。
図１乃至図３は請求項１乃至請求項３の第一実施形態に係る釣竿ケースを示し、図１に於て、１はポリエチレンやポリウレタン等の熱可塑性樹脂からなる１枚の補強板の表裏に、ナイロン等の薄い織布からなる外布（表面側化粧布）３と内布（裏面側化粧布）５を添設したシート材を筒状に巻回して設けた釣竿ケース７のケース本体で、ケース本体１の底部は、補強板より硬い合成樹脂材料で形成された断面コ字状のボトムカップ（底皿体）９内に差し込まれて、その全周がボトムカップ９の側壁１１に糸で縫着されている。
【００１０】
そして、シート材の突合わせ端部が、釣竿を出し入れする開口部１３とされており、開口部１３の縁部に、スライダー１５の操作でこの開口部１３を開閉するスライドファスナー１７が、ケース本体１の頂部側から底部に亘って装着されている。
また、開口部１３の反対側には、図示しないショルダーベルトや手提げ用のハンドルが、ケース本体１の長手方向に沿って取り付けられている。
【００１１】
そして、図示するように本実施形態は、ケース本体１の内側に、複数の釣竿保持部１９を上下方向に亘って等間隔に、そして、これらを上下方向に複数列取り付けている。
尚、図１では、ケース本体１の内側正面に３個の釣竿保持部１９を上下方向に亘って１列に等間隔で取り付けた例を図示しているが、複数本の竿体を並継形式にして用いる並継竿を各竿体に分解して釣竿ケースに収容するため、実際の釣竿ケースでは、複数の釣竿保持部１９が上下方向に亘って等間隔に、且つ上下方向に複数列取り付けられている。
【００１２】
図２に示すように釣竿保持部１９は、中央の２箇所がケース本体１（シート材）に糸で縫着された１本の帯状の紐（保持部材）２１と、この紐２１の内側に貼着された帯状の滑り止め２３とで構成されており、滑り止め２３は中央の２箇所が紐２１と共にケース本体１（シート材）に縫着されている。
紐２１は、ナイロン等の合成樹脂繊維や皮革等で形成された結束可能な薄肉部材で、滑り止め２３は、合成樹脂やゴム（主に独立気泡発泡体や連続気泡発泡体またはスポンジ状の発泡合成樹脂や発泡ゴム）を用いて紐２１と同一幅で、且つ紐２１よりも厚肉で均一な肉厚を以って内方へ突出し、紐（保持部材）２１よりも肉厚方向に大きな伸縮性を有し、而も、紐２１よりも短寸で紐２１の結束に支障を来さないように形成されている。
【００１３】
そして、図３に示すように紐２１を釣竿２５に巻回し、その両側を結束して釣竿２５を保持すると、紐２１の内側に配された滑り止め２３が釣竿２５の外周に圧接して、釣竿２５の長手方向や周方向への移動を規制するようになっている。
本実施形態はこのように構成されているから、釣竿２５を釣竿ケース７内に収容する場合、図１の如くスライダー１５を操作して開口部１３を開放した後、図３に示すように滑り止め２３に釣竿２５を当てて、紐２１の両側を結束して釣竿２５を保持すれば、紐２１の内側に配された滑り止め２３が釣竿２５の外周に圧接して、釣竿２５の長手方向や周方向への移動を規制する。
【００１４】
そして、釣竿２５の取り出しは、紐２１の結束を解けばよい。
このように本願発明は、ケース本体１内に装着した釣竿保持部１９の紐２１を結束して釣竿２５を保持すると、紐２１の内側に配された滑り止め２３が釣竿２５の外周に圧接して釣竿２５の長手方向や周方向への移動を確実に防止するため、複数本の竿体を並継形式にして用いる並継竿を各竿体に分解して釣竿ケース７に収容した場合に、釣竿保持部１９で保持された竿体（釣竿２５）が互いに接触することがなく、この結果、竿体（釣竿２５）が互いに傷付け合うことがなくなる利点を有する。
【００１５】
図４は請求項１乃至請求項３の第二実施形態に係る釣竿ケース７-1の釣竿保持部１９-1を示し、図示するように本実施形態は、ケース本体１（シート材）への紐２１の中央の縫着部（取付部）２７を挟んで紐２１の左右に、内方へ断面円弧状に突出する滑り止め２３-1を貼着したもので、滑り止め２３-1は前記滑り止め２３と同一材料で形成されると共に、紐２１と同一幅で、且つ紐２１よりも短寸で紐２１の結束に支障を来さないように形成されている。
【００１６】
尚、本実施形態に係る釣竿ケース７-1のその他の構成は図１の実施形態と同様であるため、同一のものには同一符号を付してそれらの説明は省略する。
本実施形態はこのように構成されているから、釣竿２５を釣竿ケース７-1内に収容する場合、滑り止め２３-1や縫着部２７等に釣竿２５を当てて、紐２１の両側を結束して釣竿を保持すれば、紐２１の内側に配された滑り止め２３-1が釣竿の外周に圧接して、釣竿の長手方向や周方向への移動を規制する。
【００１７】
そして、既述したように滑り止め２３-1は内方へ突出する断面円弧状に形成されているため、図２の滑り止め２３に比し、より強固に釣竿に圧接してその移動を規制する。
従って、本実施形態によれば、前記実施形態に比し、より確実に釣竿の長手方向や周方向への移動を防止することが可能となる。
図５は請求項１乃至請求項３の第三実施形態に係る釣竿ケース７-2の釣竿保持部１９-2を示し、図２の釣竿保持部１９は紐２１の内側に滑り止め２３を貼着したが、本実施形態は、滑り止め２３を紐２１に貼着せず、その中央の２箇所を紐２１と共にケース本体１（シート材）に縫着したものである。
【００１８】
そして、紐２１を釣竿に巻回し、その両側を結束して釣竿を保持すると、紐２１の内側に配された滑り止め２３が釣竿２５の外周に圧接して、釣竿の長手方向や周方向への移動を規制するようになっている。
本実施形態はこのように構成されており、本実施形態によっても、図１の実施形態と同様、所期の目的を達成することが可能である。
【００１９】
図６は請求項１乃至請求項３の第四実施形態に係る釣竿ケース７-3の釣竿保持部１９-3を示し、図中、２９は合成樹脂のシートや織布，皮革等で形成された帯状のベルト（保持部材）で、その中央の２箇所がケース本体１（シート材）に糸で縫着されている。そして、ベルト２９の一端側外周に雌型の面ファスナー３１が取り付き、他端側内周に雄型の面ファスナー３３が取り付けられており、これらの面ファスナー３１，３３を接合させて釣竿２５をベルト２９で保持できるようになっている。
【００２０】
そして、ケース本体１（シート材）へのベルト２９の縫着部（取付部）３５を挟んでベルト２９の左右に、夫々、内方へ突出する２つの断面円弧状の滑り止め２３-1，２３-3が貼着されており、滑り止め２３-3は滑り止め２３-1と同一材料で形成されると共に、滑り止め２３-1，２３-3はベルト２９と同一幅で、且つベルト２９よりも短寸で面ファスナー３１，３３の接合に支障を来さないように形成されている。
【００２１】
尚、本実施形態に係る釣竿ケース７-3のその他の構成は図１の実施形態と同様であるため、同一のものには同一符号を付してそれらの説明は省略する。
本実施形態はこのように構成されているから、釣竿２５を釣竿ケース７-3内に収容する場合、滑り止め２３-1や縫着部３５等に釣竿２５を当てて、ベルト２９の両端の面ファスナー３１，３３を接合させれば、ベルト２９の内側に配された滑り止め２３-1，２３-3が釣竿２５の外周に圧接して、釣竿２５の長手方向や周方向への移動を規制する。
【００２２】
そして、既述したように滑り止め２３-1，２３-3は内方へ突出する断面円弧状に形成されているため、図２の滑り止め２３に比し、より強固に釣竿に圧接してその移動を規制する。
従って、本実施形態によっても、図１の実施形態に比し、より確実に釣竿２５の長手方向や周方向への移動を防止することが可能となる。
【００２３】
図７乃至図９は請求項１及び請求項２の一実施形態に係る釣竿ケース７-4の釣竿保持部１９-4を示し、図中、３７は合成樹脂のシートや織布，皮革等で形成された帯状のベルト（保持部材）、３９はケース本体１の内周に左右両端が縫着された帯状の短寸な止め部材で、ベルト３７は、止め部材３９の中央に取り付く細長いリング４１の挿通孔４３にその一端側が折り返されて再びベルト３７に縫着されることで、ベルト３７がリング４１に取り付けられている。
【００２４】
そして、ベルト３７のリング４１側外周に雌型の面ファスナー３１が取り付き、他端側内周に雄型の面ファスナー３３が取り付けられており、図８及び図９の如くリング４１の挿通孔４３にベルト３７を挿通して面ファスナー３１，３３を接合させると、釣竿２５がベルト３７で保持されるようになっている。
また、ベルト３７のリング４１側内周には、前記滑り止め２３と同一材料で形成された短寸で均一な肉厚からなる帯状の滑り止め２３-4が内方へ突出して貼着されており、既述したようにリング４１の挿通孔４３にベルト３７を挿通し、面ファスナー３１，３３を接合させて釣竿２５をベルト３７で保持すると、滑り止め２３-4が釣竿２５の外周に圧接して釣竿２５の長手方向や周方向への移動を規制するようになっている。
【００２５】
本実施形態はこのように構成されているから、リング４１の挿通孔４３にベルト３７を挿通し、そして、面ファスナー３１，３３を接合させて釣竿２５をベルト３７で保持すると、滑り止め２３-4が釣竿２５の外周に圧接して釣竿２５の長手方向や周方向への移動を規制するため、本実施形態によっても、既述した各実施形態と同様、釣竿ケース７-4に釣竿２５を収容した場合に、釣竿保持部１９-4で保持された釣竿２５が互いに接触することがなく、この結果、釣竿２５が互いに傷付け合うことがなくなる利点を有する。
【図面の簡単な説明】
【００２６】
【図１】開口部を開いた請求項１乃至請求項３の第一実施形態に係る釣竿ケースの正面図である。
【図２】釣竿保持部の拡大正面図である。
【図３】釣竿保持部の使用状態の拡大正面図である。
【図４】請求項１乃至請求項３の第二実施形態に係る釣竿ケースに取り付く釣竿保持部の拡大正面図である。
【図５】請求項１乃至請求項３の第三実施形態に係る釣竿ケースに取り付く釣竿保持部の拡大正面図である。
【図６】請求項１乃至請求項３の第四実施形態に係る釣竿ケースに取り付く釣竿保持部の拡大正面図である。
【図７】請求項１及び請求項２の一実施形態に係る釣竿ケースに取り付く釣竿保持部の拡大正面図である。
【図８】図７に示す釣竿保持部の断面図である。
【図９】図７に示す釣竿保持部の使用状態の断面図である。
【符号の説明】
【００２７】
１  ケース本体
７，７-1，７-2，７-3，７-4  釣竿ケース
１３  開口部
１７  スライドファスナー
１９，１９-1，１９-2，１９-3，１９-4  釣竿保持部
２１  紐（保持部材）
２３，２３-1，２３-3，２３-4  滑り止め
２５  釣竿
２７，３５  縫着部（取付部）
２９，３７  ベルト（保持部材）
３１，３３  面ファスナー
３９  止め部材
４１  リング
４３  挿通孔                                                                               
【図１】
2008131892.tif 000003
【図２】
2008131892.tif 000004
【図３】
2008131892.tif 000005
【図４】
2008131892.tif 000006
【図５】
2008131892.tif 000007
【図６】
2008131892.tif 000008
【図７】
2008131892.tif 000009
【図８】
2008131892.tif 000010
【図９】
2008131892.tif 000011